(57)【要約】【課題】  本発明は、導光板への光の導光率を高めることにより、照明対象物を低コストで効果的に照明することができる照明装置を提供することを課題とする。【解決手段】  発光ダイオードと、外部電源に接続可能であって前記発光ダイオードへ電源を供給する電源回路と、が実装された基板と、該基板を収納する収納部と、該収納部に挟持される導光板と、を備えた照明装置であって、前記収納部の内壁面は、反射部を備え、前記導光板は、前記発光ダイオードの少なくとも一部を受容する溝部を有することを特徴とする照明装置の提供。【選択図】  図１
2007220352.tif 000002
【特許請求の範囲】
【請求項１】
発光ダイオードと、外部電源に接続可能であって前記発光ダイオードへ電源を供給する電源回路と、が実装された基板と、
該基板を収納する収納部と、
該収納部に挟持される導光板と、
を備えた照明装置であって、
前記収納部の内壁面は、反射部を備え、
前記導光板は、前記発光ダイオードの少なくとも一部を受容する溝部を有することを特徴とする照明装置。
【請求項２】
前記溝部は、前記発光ダイオードの形状に相応する形状をしていることを特徴とする請求項１記載の照明装置。
【請求項３】
前記発光ダイオードの頭部と前記溝部との間にギャップを有することを特徴とする請求項１又は２記載の照明装置。
【請求項４】
発光ダイオードと、外部電源に接続可能であって前記発光ダイオードへ電源を供給する電源回路と、が実装された基板と、
該基板を収納する収納部と、
該収納部に挟持され、かつ収納される導光体と、
を備えた照明装置であって、
前記収納部の内壁面は、反射部を備え、
前記導光体は、前記発光ダイオードの少なくとも一部を受容する溝部を有することを特徴とする照明装置。
【請求項５】
前記溝部は、前記発光ダイオードの形状に相応する形状をしていることを特徴とする請求項４記載の照明装置。
【請求項６】
前記発光ダイオードの頭部と前記溝部との間にギャップを有することを特徴とする請求項４又は５記載の照明装置。
【請求項７】
前記収納部に挟持される導光板を更に備えたことを特徴とする請求項４乃至６の何れかに記載の照明装置。
【発明の詳細な説明】
【技術分野】
【０００１】
本発明は、照明装置に関し、特に発光ダイオード（ＬＥＤ：Ｌｉｇｈｔ  Ｅｍｉｔｔｉｎｇ  Ｄｉｏｄｅ）を用いた照明装置に関する。
【背景技術】
【０００２】
従来、屋内外における装飾、ディスプレイ、看板照明など、光を用いて何かを照らす場合に用いられるものとして、発光ダイオードを利用した照明装置がある。
かかる照明装置の例として、たとえば図１３に記載の発光ダイオード装置３００がある（特許文献１）。
【０００３】
図１３に記載されている発光ダイオード装置３００は、光を透過する透光フレーム３０１と、透光フレーム３０１内に収納された画像３０２と、透光フレーム３０１の内部であって画像３０２の周囲４辺に設けられた発光ダイオード３０３と、透光フレーム３０１等を支持する脚３０４と、を備えている。
【０００４】
図１４は、図１３記載の発光ダイオード装置３００の内部構造を示すものである。
図１４に示されているように、透光フレーム３０１は裏蓋３０８と嵌合される構造となっている。
裏蓋３０８には、フレーム型の導光板３０９と、光反射層３１０と、が備えられている。
また、透光フレーム３０１と裏蓋３０８との間に位置する発光ダイオード３０３は、不図示の電子回路がプリントされた回路板３０７と接続されており、交流及び直流の何れによっても発光する構成となっている。
さらに、透光フレーム３０１の前方部に位置する画像３０２は前方裏蓋３０５と保護板３０６との間に挟持され、これら画像３０２、前方裏蓋３０５及び保護板３０６が透光フレーム３０１の内側に嵌め込み可能な構造となっている。
そして、ビス３１１〜３１３によって適当にビス止めされている。
【０００５】
以上の構成を備えた発光ダイオード装置３００は、発光ダイオード３０３により放たれた光が導光板３０９と光反射層とにより拡散されて導光板３０９全体を（したがって、また透光フレーム３０１全体を）明るくすることにより、画像３０２を照射する。
このように、発光ダイオード装置３００は、照明の対象（画像３０２）と照明する物（発光ダイオード３０３）とを一体化したものである。
【０００６】
しかしながら、上記の発光ダイオード装置３００によれば、導光板３０９と光反射層とにより発光ダイオード３０３の光が拡散されて光の利用効率が高められるにしても、反射乃至拡散された光が透光フレーム３０１を通して外部に漏れてしまうため、尚も光の利用効率が悪いという問題点がある。
【０００７】
そこで、図１５の発光装置４００に示されているような技術を採り入れることが有効となってくる（特許文献２）。
図１５に示されているように、発光装置４００は、導光棒４０１に反射作用を有する多数の光反射部４０２を設け、導光棒４０１を両側からＬＥＤ４０３、４０４により照射し、光反射部４０２による前記反射作用を利用することによって、導光板４０５へ効果的に光を導くというものである。
なお、発光装置４００は、反射効率を高めるために、光反射部４０２を設ける間隔を内側へ行けば行くほど狭くなるような構成とされている。
【０００８】
【特許文献１】実登第３０７８１８５号公報
【特許文献２】特開平１０−２５５５３２号公報
【発明の開示】
【発明が解決しようとする課題】
【０００９】
しかしながら、上記発光ダイオード装置４００によれば、たしかに光反射部４０２の反射により光の利用効率が高められるものの、ＬＥＤ４０３、４０４の頭方向への光しか利用できていないため、未だ尚も光の利用効率が悪いという問題点がある。
同様の問題は、導光棒４０１のみならず、パネル状の導光板に多くのドットを設け該パネルの周囲４辺からＬＥＤ光を照射するという構成をとった場合であっても等しく生じる。
【００１０】
本発明は、上記背景に鑑みてなされたものであり、導光板への光の導光率を高めることにより、照明対象物を低コストで効果的に照明することができる照明装置を提供することを目的とする。
【課題を解決するための手段】
【００１１】
上記課題を解決するために、請求項１記載の照明装置は、発光ダイオードと、外部電源に接続可能であって前記発光ダイオードへ電源を供給する電源回路と、が実装された基板と、
該基板を収納する収納部と、
該収納部に挟持される導光板と、
を備えた照明装置であって、
前記収納部の内壁面は、反射部を備え、
前記導光板は、前記発光ダイオードの少なくとも一部を受容する溝部を有することを特徴とする。
【００１２】
請求項２記載の照明装置は、前記溝部は、前記発光ダイオードの形状に相応する形状をしていることを特徴とする。
請求項３記載の照明装置は、前記発光ダイオードの頭部と前記溝部との間にギャップを有することを特徴とする。
請求項４記載の照明装置は、発光ダイオードと、外部電源に接続可能であって前記発光ダイオードへ電源を供給する電源回路と、が実装された基板と、
該基板を収納する収納部と、
該収納部に挟持され、かつ収納される導光体と、
を備えた照明装置であって、
前記収納部の内壁面は、反射部を備え、
前記導光体は、前記発光ダイオードの少なくとも一部を受容する溝部を有することを特徴とする。
請求項５記載の照明装置は、前記溝部は、前記発光ダイオードの形状に相応する形状をしていることを特徴とする。
請求項６記載の照明装置は、前記発光ダイオードの頭部と前記溝部との間にギャップを有することを特徴とする。
請求項７記載の照明装置は、前記収納部に挟持される導光板を更に備えたことを特徴とする。
【発明の効果】
【００１３】
本発明の照明装置によれば、発光ダイオードが搭載された基板を収納する収納部の内壁面に反射部を備えるとともに、該発光ダイオードの少なくとも一部が導光板に設けられた溝部に受容される。
したがって、発光ダイオードの横方向及び頭部方向の両方向の光を前記導光板へと導くことができるので、照明対象物を効果的に照明することができる。
【発明を実施するための最良の形態】
【００１４】
以下、添付図面を参照しつつ、本発明の照明装置を実施するための最良の形態について説明する。なお、図面中同一の参照番号は、同一部材ないし同一部分を指示するものである。
【００１５】
Ａ  第１実施形態
Ａ．１  構成
第１実施形態は、端的には、導光板にＵ字溝を設けることにより、発光ダイオードから発せられる光を導光板に高効率で導いた実施形態である。
図１は、そのような実施形態に係る本発明による照明装置１の構造図である。
照明装置１は、上下にＵ字型の溝が彫られるとともに、前面と背面にドットが印刷されている導光板２を備えている。
導光板２の大きさとしてはＡ０〜Ａ４サイズのものが好ましいが、これら以外の所望の大きさのものに適宜拡張又は縮小して実施してもかまわない。
【００１６】
該Ｕ字溝が彫られた部分に相応する導光板２の表面部分には、ＬＥＤから発せられた光を反射すべく鏡面加工の施されたシート３７、３８が貼り付けられている。なお、導光板２の下側にも同様に不図示のシートが貼付される。
導光板２の周囲には、ＬＥＤを内部のチャンネルに収納可能で、導光板２に着脱可能なＨチャンネル３〜１２が取り付けられている。
【００１７】
これらのＨチャンネル３〜１２の内、Ｈチャンネル３〜５、８〜１０についてのみＬＥＤ回路基板１３、１４が収納されて上下２方向から照射する方式となっており、Ｈチャンネル６と７、１１と１２についてはＬＥＤ回路基板の代わりにプラスチックダミー３３、３４及び鏡面加工の施されたシート３５、３６が備えられている。
このように本実施形態では上下２辺から照射する方式となっているが、本発明は主にＵ字溝の効果として格段の照射効率を従来技術に比べて奏することができるので、任意の１辺から照射する方式としても良い。もちろん、所望の強い明るさを得るために、上下方向だけでなく左右方向からも照射する４辺照射方式としても良い。
【００１８】
そして、これらのＨチャンネル３〜１２は、プラスチックジョイント１９〜３２によって、相互に、あるいは四隅を固定するためのコーナーブロック１５〜１８と連結固定されて（図３を参照。）、導光板２に装着される。
また、導光板２の背面には光を反射する光反射板又はシート３９が、前面には光を拡散する光拡散板、シート又はディヒューザ４０が、それぞれ備えられている。
【００１９】
図２は、導光板２への前記ドットの印刷状態を図示するものである。なお、前記Ｕ字溝は省略して示されている。
図２に示されているように、表面ドット５０が導光板２の表面に、背面ドット５１がその背面に、それぞれ無数に印刷されている。これらのドットは光反射性の良いインクで印刷されている。
【００２０】
これらの表面ドット５０、背面ドット５１によって、ＬＥＤから発せられて直接に当たる光が又はシート３７、３８や光反射板３９などによって反射されて当たる光が、乱反射されて様々な方向へと拡散され、照明装置１全体としての輝度バランスが図られる。
この輝度バランスを更に高めるために、表面ドット５０と背面ドット５１とは、導光板２の表面又は背面からみた場合に相互に重ならないようにオフセットして印刷されている。
【００２１】
なお、導光板２の表面及び背面の両面にオフセット印刷するのでなくそれらの一方にのみ印刷した場合であっても、高密度で印刷するときは、両面にオフセット印刷した場合と同様の効果を得ることができる。
ドット形状や寸法、ドット間距離などは、顧客ないしユーザの要求により種々の構成を採り得る。たとえば、同一面に印刷されたドットの形状を丸型と四角方の組合せとする構成や、あるいはまた同一形状のドットであっても大きさを異ならせる構成を採り得る。
【００２２】
図３は、導光板２に取り付けられるＨチャンネル５及びＬＥＤ回路基板１３等の部分拡大図である。
コーナーブロック１６は、後述するベルトによってセルフロック可能な機構となっている。
【００２３】
ＬＥＤ回路基板１３は、詳細には図３で示されているように、複数のＬＥＤ回路サブ基板６０、６１・・から構成されるものである。
１つのＬＥＤ回路サブ基板には、ＬＥＤ３個を１単位として２単位ずつ搭載されている。
図３のＬＥＤ回路サブ基板６０であれば、ＬＥＤ６２、６４、６６の１単位とＬＥＤ６３、６５、６７の１単位とが搭載されている（図４、図５を参照。）。
このように、隣接するＬＥＤを１単位とするのでなく、一つ置きのＬＥＤを１単位とするのは、各単位の電気的接続が絶たれてしまった場合に輝度ムラを生じないようにするためである。
【００２４】
なお、ＬＥＤ回路サブ基板に搭載するＬＥＤの単位数及び１単位が備えるＬＥＤの個数は、何れも上記実施形態に限られるものでない。
たとえば、ＬＥＤ３個を１単位として３単位ずつ搭載することも可能であれば、ＬＥＤ４個を１単位として２単位ずつ搭載することも可能であり、さらにはＬＥＤ４個を１単位として３単位ずつ搭載することも可能である。
抽象化すれば、ＬＥＤｍ個を１単位としてｎ単位のＬＥＤをＬＥＤ回路サブ基板に搭載することができる。
この場合、ｎ個（単位）の回路がＬＥＤ回路基板サブブロック内に図４（図５）のように外部電源に対して並列に備えられるとともに、各単位中のＬＥＤが（ｎ−１）個置きとなるようにＬＥＤ回路サブ基板上に実装される。
もちろん、上記記述は、輝度ムラを抑制するためには、最善の実施携帯としてどうあるべきかという点を述べるものであって、一部分だけが相隣接しないような実装の仕方を排除するものでない。
【００２５】
なお、導光板２の四隅にはＬＥＤの光が集まり易く導光板２に輝度ムラが生じてしまうので、これを抑制するためにＬＥＤの配置を四隅近辺では間引いて、ＬＥＤ回路基板１３、１４の中心部と両端部でＬＥＤの配置ピッチを異ならせるのが望ましい。
【００２６】
ここで、ＬＥＤの駆動方式について説明する。
本発明に係る照明装置は、直流及び交流の何れでも駆動することができる。
図４は直流方式で駆動する場合の回路図であって、図５は交流方式で駆動する場合の回路図である。
【００２７】
（１）直流方式
図４に示されているように、ＬＥＤ回路サブ基板６０には、ＬＥＤ６２、６４、６６とチップ抵抗７２との第１組及びＬＥＤ６３、６５、６７とチップ抵抗７３との第２組が搭載され、これらの各組が外部直流電源８０に対して並列に接続されている。
たとえば、ＬＥＤ６２が何らかの原因により破損して電気的導通を失った場合、ＬＥＤ６２を含む第１組は電気的導通を失ってしまうが、ＬＥＤ６２を含まない第２組は尚も電流が流れ続ける。
そこで、輝度ムラを生じないようにするために、ＬＥＤ回路サブ基板６０には各組のＬＥＤが一つ置きとなるように実装してある（図３を参照）。
なお、前述したように、ＬＥＤｍ個を１単位としてｎ単位のＬＥＤをＬＥＤ回路サブ基板に搭載するようにしても良い。
【００２８】
ＬＥＤ回路サブ基板６１等その他のＬＥＤ回路サブ基板が同様の方法で構成されて、外部交流電源８０に各回路サブ基板が並列に接続されることによって、先の大きなブロックとしてＬＥＤ回路基板１３、１４が構成される。
【００２９】
（２）交流方式
他方、図５に示されているように、外部交流電源９０でも駆動させることができる。
交流方式の場合、直流方式の場合のチップ抵抗７２等に対応するものとして、突入電流制限抵抗９１、定電流発生コンデンサ９２、放電抵抗９３、整流ブリッジダイオード９４等が必要となる。
【００３０】
すなわち、たとえばＬＥＤ回路サブ基板６０であれば、電源投入時に過渡的に印加され得るパルス電圧や、雷のように瞬時の誘導パルス電圧が印加されたときのパルス電流を抑制して後段の回路を保護するための突入電流制限抵抗９１が外部交流電源９０と整流ブリッジダイオード９４の一方入力側との間に接続されるとともに、該外部交流電源９０と整流ブリッジダイオード９４の他方入力側との間には、外部交流電源９０の発振周期に同期して充放電を繰り返し後段の回路に安定した電流を供給するための定電流発生用コンデンサ９２が接続されている。さらに、この定電流発生用コンデンサ９２に対しては、定電流発生用コンデンサ９２に蓄積された電荷を放電するための放電抵抗９３が並列に接続されている。
【００３１】
このようにして入力側が構成された整流ブリッジダイオード９４の出力側には、図５に示されているように、直流駆動方式の場合と同様、ＬＥＤ６２、６４、６６及びＬＥＤ６３、６５、６７がそれぞれを１単位として並列に接続されている。この点、直流方式の場合と同様に、ＬＥＤｍ個を１単位としてｎ単位のＬＥＤをＬＥＤ回路サブ基板に搭載可能となるように相互接続しても良い。
なお、整流ブリッジダイオード９４等とＬＥＤ６２〜６７等との間には、整流された電圧を安定化させるための不図示のコンデンサを設けても良い。
【００３２】
そして、各ＬＥＤ回路サブ基板６０、６１・・・の各電流安定化回路の入力側に接続点が設けられ、この接続点を介して各ＬＥＤ回路サブ基板が等しい電圧供給を受けるように独立して、外部交流電源９０に対して並列に接続されている（図５）。
なお、該接続点をＬＥＤ回路サブ基板の外に設けた構成としても良く、この構成とともに上記図５のいわば接続点内部方式を併用した構成としても良い。
【００３３】
以上のように、直流方式又は交流方式の何れを採用するかにかかわらず、各ＬＥＤ回路サブ基板は外部電源に対して等価回路的には並列に接続される。
したがって、各ＬＥＤ回路サブ基板を次々と接続してＬＥＤ回路基板１３、１４（従ってまた照明装置）を製造することが容易であるとともに、これとは反対に所定の数のＬＥＤ回路サブ基板を既に有しているＬＥＤ回路基板１３、１４から一定の数のＬＥＤ回路サブ基板を切断して照明装置を製造することも容易である。
【００３４】
回路の説明を終え、照明装置１の物理構造の面に話を戻す。
図６は照明装置１の構造図であり、図７は照明装置１の断面図である。
図６に示されているように、導光板２の前面及び背面には、それぞれに鏡面加工の施されたシート３７と３８が貼付され、さらに背面には光反射板又は鏡面加工の施されたシート３９が、他方前面には光拡散板、シート又はディヒューザ４０が貼付される。
なお、シート３７、３８は導光板２でなくＨチャンネル５の内壁部に貼り付ける構成としても良く、またシート３７、３８を用いずにＨチャンネル５の内壁部に蒸着あるいはめっきによる鏡面加工を直接施す構成としても良い。
【００３５】
また、導光板２には、ＬＥＤ６４等を受け容れるべく溝部１００が彫られている。溝部１００の形状は図６に示されているようにＬＥＤ６４の形状に対応するように緩やかなカーブを有するＵ字形状となっており、研磨が施されている。なお、連続する溝部１００を設ける代わりに、各々のＬＥＤに対応したＵ字形状の穴を掘り込む構成としても良い。このようにＬＥＤそれぞれに対応した穴を設ける場合には、輝度を更に高めることができる。
この彫込みは、不図示の機械によってなされるが、特に導光板２の形状が大きい場合において、溝幅及び深さを一定に保つためには精度の良い機械でないと実現が困難である。
研磨は、ＬＥＤ光が拡散し過ぎることを防いで輝度を高めるために施されるものである。
【００３６】
この溝部１００により、ＬＥＤ６４の頭部方向の光の指向性を高めることができる。換言すれば、ＬＥＤ回路サブ基板６０を導光板２に設置する際のＬＥＤ６４の傾きを抑えることになり、ＬＥＤ６４から発せられた光軸を一定に保つことができ、照光前面や背面への直接照射を防ぐことができ、輝度ムラが起こらなくなる。なお、溝部１００を掘り込む際に、導光板２に対して若干の角度を設け、意図的にＬＥＤ６４の光軸を導光板２の照光前面や背面に向けた場合には、若干の輝度ムラが発生してしまうものの、その反面導光板２に印刷されたドット５０、５１に反射する光量が多くなり、導光板２の輝度を高めることができる。
【００３７】
また、ＬＥＤ６４の横方向の光を鏡面加工の施されたシート３７、３８、３９により容易に捕捉して効率良く利用することができる。
【００３８】
さらに、溝部１００には研磨が施されているので、ＬＥＤ光が減光することなく溝部１００を透過することができる。この点、研磨を施さない場合には、溝部１００を透過する光を導光板２に拡散することができるので、溝部１００には研磨を施さない構成としても良い。
【００３９】
なお、ＬＥＤ６４等の一部又は全部を受容可能であれば、別の形状としても良い。たとえば、Ｖ字状としても良い。このように溝部の形状を工夫することで、集光量や、照射角度等のＬＥＤ光のコントロールが可能となる。
ただし、輝度ムラの抑制という観点からは、溝部１００のように緩やかなカーブを有する形状とすることが望ましい。
【００４０】
以上のようにして構成された導光板２側は、図７のようにＨチャンネル５側と連結される。なお、シート３７、３８は、図面が見にくくなるので図７では省略されている。
図７から明らかなように、ＬＥＤ６４の頭部と導光板２との間には、数ｍｍのギャップ１０１が設けられている。このギャップ１０１を設けることにより、溝部１００がレンズ効果を持つことになり、導光板２内でＬＥＤ光が拡散屈折する。
【００４１】
Ｈチャンネルはコーナーブロックに固定用ベルトを巻き回すことによって固定される。
図８（ａ）〜図８（ｃ）はそれぞれ、この点に関して、１本の固定用ベルト１０２で、２本の固定用ベルト１０３、１０４で、４本の固定用ベルト１０５〜１０８で、固定する場合の巻回し方法を概念的に示した図面である。図示してはいないが、３本で固定することも勿論可能である。
また、図９は、四隅に設けられたコーナーブロック１５、１６、１７、１８における固定方法を説明するための一部拡大図面である。導光板２は、Ｈチャンネル５、６だけでなく、コーナーブロック１６にも嵌め込む構造となっており、図９ではこれらに嵌め込んだ状態で照明装置１が示されている。
【００４２】
１本の固定用ベルトで固定する場合、まず、固定用ベルト１１０を図９のようにコーナーブロック１６の係留部１１１に巻き回し、ベルト１１０の引張張力を維持しながら、コーナーブロック１７、１８、１９を介して、コーナーブロック１６の係留部１１２に図９のように更に巻き回す。固定用ベルトの１１０の引張張力が緩むことによって、セルフロックされる。
【００４３】
このようにして１本の固定用ベルトで固定した場合、十分な縛り強度を得ることができないこともある。
そこで、対角上のコーナーブロック（１６と１８、又は１５と１７）と２本の固定用ベルト（１０３、１０４）を用いて図８（ｂ）のように、あるいは４つのコーナーブロック（１５〜１８）と４本の固定用ベルト（１０５〜１０８）を用いて図８（ｃ）のように、固定するのが望ましい。もちろん、３つのコーナーブロックと３本の固定用ベルトを用いて固定しても良い（不図示）。
【００４４】
Ａ．２  作用
外部の直流電源８０又は商用交流電源９０に照明装置１が接続される。
直流電源８０に接続した場合には、抵抗７２、７３等により電流が制限されてＬＥＤ６２等が点灯する。
他方、交流電源９０に接続した場合には、突入電流制限抵抗９１、９５等により交流電圧投入時の過渡電流が抑えられ、電圧安定後はその周波数にともない定電流発生コンデンサ９２、９６等により定電流が発生する。整流ブリッジダイオード９４、９８等で交流から直流に整流されて所望の直流電圧がＬＥＤ６２、６８等に印加され、これらが点灯する。
【００４５】
ＬＥＤ６４等から発せられた光の内、ＬＥＤ頭部から発せられた光はギャップ１０１による溝部１００のレンズ効果により溝部１００で拡散されて導光板２へと進行し、ＬＥＤ側面から発せられた光はシート３７、３８で反射されて光の一部がＬＥＤ頭部方向（導光板２方向）へと進行する。
シート３９による反射作用も経つつ、導光板２に刻まれた表面ドット５０又は背面ドット５１に光が当たり、導光板２全体が万遍なく綺麗に光る。
発明者らの実測によれば、Ｕ字形状の溝部１００がある場合、これがない場合に比べて、約１．５倍の輝度を有するとのデータが得られた。
【００４６】
不図示の文字や画像がプリントされたシート等を光拡散板４０の前面に設けることにより、これらの照明対象物を効果的又は幻想的に照明することができる。
【００４７】
以上のように、本発明に係る照明装置によれば、導光板に溝部を設け、該溝部の両側に反射作用を有するシートを備える構成となっているので、ＬＥＤの頭部方向の光の指向性が高められるとともに、ＬＥＤの横方向の光を該シートにより容易に捕捉して効率良く利用することができる。
したがって、全体として導光板への光の導光率を高めることができ、照明対象物を従来に比しより少ない電気エネルギーで効果的に照明することができる。
【００４８】
Ｂ  第２実施形態
第２実施形態は、導光板にＵ字溝を掘り込むのでなく、導光板とは別体の導光体にＵ字溝を掘り込み、この導光体を導光板に接合する構成としたものである。
したがって、第１実施形態の導光板を２つの部材に分割した実施形態であるということができる。
以下、本実施形態について、より詳細に説明する。
【００４９】
図１０は、本発明の第２実施形態に係る照明装置２０１の俯瞰図である。
照明装置２０１は、Ｕ字溝の彫り込まれた透明な導光体２０２と、透明導光体２０２が嵌め込まれるＨチャンネル２０３と、Ｈチャンネル２０３と接合し電子回路を提供するＬＥＤ回路サブ基板２０４と、ＬＥＤ回路サブ基板２０４に電気的に接続されているＬＥＤ２０５と、を備える。
【００５０】
照明装置２０１は、不図示のドットを第１実施形態と同様に備えるもののＵ字溝の彫り込まれていない導光板２０６を更に備えたものとして図示されているが、導光板２０６を省いてモジュール製品としても良い。
【００５１】
このようにモジュール化することで、大きな導光板に大がかりな機械を用いて溝部を掘り込むという工程が不要となり、コンパクトな導光体に小型の機械を用いて溝部を掘り込むという工程で足り、あるいはまた、金型による透明樹脂の成型で導光体を形成することも可能になるので、製造が極めて容易となる。
導光板の形状が大きくなる場合には、モジュール化された照明装置２０１（２０２、２０３、２０４、２０５）を複数連結して、該導光板を照明する。
【００５２】
図１１は導光板２０６を含まない状態における照明装置２０１の構造図であり、図１２は該状態における照明装置２０１の断面図である。
Ｈチャンネルの内部壁には、蒸着あるいはめっきによって鏡面加工の施された反射部２０７、２０８が備えられている。この反射部２０７、２０８によってＬＥＤ２０５から発せられた横方向の光が反射されて、ＬＥＤ２０５の光の利用効率が高められる。なお、Ｈチャンネルに反射部２０７、２０８を設ける構成とするのでなく、導光体２０２の側面に鏡面加工の施されたシートを貼り付ける構成としても良い。
【００５３】
チップ抵抗２０９、２１０は、第１実施形態と同様に、ＬＥＤ回路サブ基板２０４の上部に実装される構成となっている（図３も参照）。
溝部２１１はＵ字形状とされているが、Ｕ字型に限られないこと、第１実施形態と同様である。
導光体２０２をＨチャンネル２０３に嵌め込むことにより、照明装置２０１が形成される（図１２を参照）。
ＬＥＤ２０５の頭部には、第１実施形態と同様に、数ｍｍのギャップ２０９が設けられており、これによって溝部２１１がレンズ効果を持つこととなって、導光体２０２及び導光板２０６内でＬＥＤ光が拡散屈折される。
なお、駆動方式は、第１実施形態と同様に、直流及び交流の双方を採用することができる（図４、図５を参照）。
【００５４】
以上のように、本発明に係る照明装置によれば、導光体に溝部を設け、該溝部の両側に反射作用を有する反射部を備える構成となっているので、ＬＥＤの頭部方向の光の指向性が高められるとともに、ＬＥＤの横方向の光を該反射部により容易に捕捉して効率良く利用することができる。
したがって、全体として導光板への光の導光率を高めることができ、照明対象物を従来に比しより少ない電気エネルギーで効果的に照明することができる。
加えて、本発明の照明装置によれば、導光板と導光体とが別体とされているので、導光体を金型成型することが可能となるとともに、照明装置の運搬ないしは持ち運びが容易となって、移動コストが大幅に削減される。
【００５５】
本発明の上記実施形態は、何れも最良の実施形態としての単なる例に過ぎず、本発明の原理や構造等をより良く理解することができるようにするために述べられたに止まるものであって、添付の特許請求の範囲を限定する趣旨のものでない。
したがって、本発明の上記実施形態に対してなされ得る多種多様な変形ないし修正はすべて本発明の範囲内に含まれるものであり、添付の特許請求の範囲によって保護されるものと解さなければならない。
【図面の簡単な説明】
【００５６】
【図１】図１は、本発明の第１実施形態に係る照明装置の構造図である。
【図２】図２は、第１実施形態に係る導光板の俯瞰図である。
【図３】図３は、第１実施形態に係る照明装置の部分拡大図である。
【図４】図４は、第１実施形態に係る照明装置の直流方式による駆動回路図である。
【図５】図５は、第１実施形態に係る照明装置の交流方式による駆動回路図であるである。
【図６】図６は、第１実施形態に係る照明装置の部分拡大構造図である。
【図７】図７は、第１実施形態に係る照明装置の部分拡大断面図である。
【図８】図８は、第１実施形態に係る固定用ベルトの固定方法を示す概念図である。
【図９】図９は、第１実施形態に係る照明装置の部分拡大図である。
【図１０】図１０は、本発明の第２実施形態に係る照明装置の俯瞰図である。
【図１１】図１１は、第２実施形態に係る照明装置の構造図である。
【図１２】図１２は、第２実施形態に係る照明装置の断面図である。
【図１３】図１３は、従来技術に係る照明装置の俯瞰図である。
【図１４】図１４は、図１３に記載の照明装置の構造図である。
【図１５】図１５は、従来技術に係る照明装置の構造図である。
【符号の説明】
【００５７】
１  照明装置
２  導光板
３〜５、８〜１０  Ｈチャンネル（収納部）
１３、１４  ＬＥＤ回路基板（基板）
３７、３８  鏡面加工の施されたシート（反射部）
６０、６１  ＬＥＤ回路サブ基板（基板）
６２〜７１  発光ダイオード
１００  溝部
１０１  ギャップ
２０１  照明装置
２０２  導光体
２０４  ＬＥＤ回路サブ基板（基板）
２０３  Ｈチャンネル（収納部）
２０５  発光ダイオード
２０７、２０８  鏡面加工の施されたシート（反射部）
２０９  ギャップ
２１１  溝部
【図１】
2007220352.tif 000003
【図２】
2007220352.tif 000004
【図３】
2007220352.tif 000005
【図４】
2007220352.tif 000006
【図５】
2007220352.tif 000007
【図６】
2007220352.tif 000008
【図７】
2007220352.tif 000009
【図８】
2007220352.tif 000010
【図９】
2007220352.tif 000011
【図１０】
2007220352.tif 000012
【図１１】
2007220352.tif 000013
【図１２】
2007220352.tif 000014
【図１３】
2007220352.tif 000015
【図１４】
2007220352.tif 000016
【図１５】
2007220352.tif 000017